(57)【要約】【課題】  保持部材を介して上下に積層された折曲部を有する熱交換器を位置ずれしないよう固定できるようにした空気調和機の室外機を提供する。【課題を解決するための手段】  底板１上に立設した複数の支柱６を含む筐体内に、保持部材２を介して上下に積層された折曲部５を有する上熱交換器３および下熱交換器４を設け、前記折曲部５を前記支柱６に隣接してなる空気調和機の室外機において、前記保持部材２は、前記上熱交換器３および前記下熱交換器４を保持する保持部２ａと、前記支柱６まで延出して固定される固定部２ｄとを備えてなる構成にした。【選択図】  図３
2009079844.tif 000002
【特許請求の範囲】
【請求項１】
底板上に立設した複数の支柱を含む筐体内に、保持部材を介して上下に積層された折曲部を有する上熱交換器および下熱交換器を設け、前記折曲部を前記支柱に隣接してなる空気調和機の室外機において、
前記保持部材は、前記上熱交換器および前記下熱交換器を保持する保持部と、前記支柱まで延出して固定される固定部とを備えてなることを特徴とする空気調和機の室外機。
【請求項２】
前記保持部が、前記上熱交換器の下端および前記下熱交換器の上端を当接する当接板と、同当接板に対して左右交互もしくは前後交互に、上向きおよび下向きに形成された保持板とを備えてなることを特徴とする請求項１に記載の空気調和機の室外機。
【請求項３】
前記支柱に、前記保持部材の固定部を受ける受け部が設けられてなることを特徴とする請求項１に記載の空気調和機の室外機。
【発明の詳細な説明】
【技術分野】
【０００１】
本発明は、空気調和機の室外機に係わり、より詳細には、保持部材を介して上下に積層された折曲部を有する熱交換器を位置ずれしないよう固定できるようにした構造に関する。
【背景技術】
【０００２】
従来の空気調和機の室外機は、熱交換器を上下に分割し、分割した上熱交換器と下熱交換器との間に、これら上熱交換器と下熱交換器とを保持する保持具を設け、縦長の熱交換器を構成し組立作業を容易にするものとして、図５に示すように、室外機本体の吸込口に面して設けられた上熱交換器ａおよび下熱交換器ｂと、この上熱交換器ａおよび下熱交換器ｂの間に、保持板ｄを有し、且つ断面Ｈ型に構成された保持具ｃとを設け、前記保持具ｃにおいて、前記上下の熱交換器ａおよびｂの側板ｅとねじ固定するようにして、縦長の熱交換器ａおよびｂを分割し、組立工数を低減するようにしたものが開示されていた（例えば、特許文献１参照。）。
【０００３】
しかしながら、近年、とくに熱交換器を大型化することによって熱交換能力を向上させるため、上熱交換器と下熱交換器とに、折曲部をもたせることで平面視で略コ字状に形成されていることから、この場合は、前記折曲部を隙間なく収容して位置決めできるように前記保持具ｃを精度よく折曲加工することが容易ではなく、また上述したように、前記保持具ｃによって前記上下の熱交換器ａおよびｂの側板ｅとねじ固定するだけでは、例えば前記折曲部やその近傍を固定できにくいことから、移送時などに不測の外力が加わることで該箇所に位置ずれが生じてしまうおそれがあった。
【特許文献１】実開昭６０−５０７６４号公報
【発明の開示】
【発明が解決しようとする課題】
【０００４】
そこで、本発明は上述した課題を解決するためになされたものであって、その目的は、保持部材を介して上下に積層された折曲部を有する熱交換器を位置ずれしないよう固定できるようにした空気調和機の室外機を提供することになる。
【課題を解決するための手段】
【０００５】
上述した目的を達成できるように、保持部材を介して上下に積層された折曲部を有する熱交換器を強固に固定できるようにするため、本発明は以下に示す特徴を備えている。
【０００６】
底板上に立設した複数の支柱を含む筐体内に、保持部材を介して上下に積層された折曲部を有する上熱交換器および下熱交換器を設け、前記折曲部を前記支柱に隣接してなる空気調和機の室外機において、
前記保持部材は、前記上熱交換器および前記下熱交換器を保持する保持部と、前記支柱まで延出して固定される固定部とを備えてなることを特徴としている。
【０００７】
また、前記保持部が、前記上熱交換器の下端および前記下熱交換器の上端を当接する当接板と、同当接板に対して左右交互もしくは前後交互に、上向きおよび下向きに形成された保持板とを備えてなることを特徴としている。
【０００８】
また、前記支柱に、前記保持部材の固定部を受ける受け部が設けられてなることを特徴としている。
【発明の効果】
【０００９】
本発明によれば、保持部材を介して上下に積層された折曲部を有する熱交換器を位置ずれしないよう固定できるようにした空気調和機の室外機を提供できる。
【発明を実施するための最良の形態】
【００１０】
次に、本発明の実施形態について図面を参照しながら説明する。
【００１１】
図１は本発明による空気調和機の室外機の外観斜視図であり、図２は本発明による空気調和機の室外機の要部分解斜視図であり、図３は本発明による空気調和機の室外機の要部斜視図であり、図４は本発明による空気調和機の室外機の要部説明図で、図４（Ａ）は平面図、図４（Ｂ）は図４（Ａ）に示すＡーＡ断面図、図４（Ｃ）は図４（Ａ）に示すＢ部の拡大図である。
【００１２】
本発明による上部吹出し型の空気調和機の室外機は、図１乃至図４に示すように、室外機本体の側面部ｂに設けられた吸込口ａと、上面部ｄに設けられた吹出口ｃとを結ぶ空気通路に、上下に分割され積層された複数の折曲部５を有する上熱交換器３および下熱交換器４が前記吸込口ａを臨ませるように載置され、その上部には、図示しない送風ファンが設けられた構成になっている。
【００１３】
略矩形状に形成された底板１上には、その各コーナ部に立設された複数の支柱６を含む筐体が設けられるとともに、同筐体内に前記上熱交換器３および前記下熱交換器４が設けられており、これら上熱交換器３および下熱交換器４の折曲部５を前記支柱６に隣接させた構成になっている。
【００１４】
前記吸込口ａから吸い込まれた空気は、前記上熱交換器３および前記下熱交換器４を流通したのち、前記吹出口ｃから上方に吹き出されるようになっている。
【００１５】
前記上熱交換器３および前記下熱交換器４は、例えば熱交換能力の異なるものを個別に製造して上下に積層したり、また、大型で縦長状の熱交換器を簡便な製造設備により分割して製造するような場合には、同様の熱交換能力のものを個別に製造して上下に積層されるように構成している。
【００１６】
前記上熱交換器３および前記下熱交換器４は、図２および図３に示すように、複数の折曲部５を有して平面視で略コ字状に形成されており、これによって、容量を大きくすることができて熱交換能力を高めることができるようにした構成になっている。
【００１７】
前記上熱交換器３および前記下熱交換器４は、上下に積層される際、これら上熱交換器３および下熱交換器４が互いに位置ずれしないように保持する保持部材２を介して積層されるようになっている。
【００１８】
前記保持部材２は、プレス加工されてなる鈑金製のものであって、図４（Ａ）に示すように、前記上熱交換器３および前記下熱交換器４を互いに位置決めして保持する保持部２ａと、前記支柱６まで延出部２ｂ’により延出して固定される固定部２ｄとを備えている。
【００１９】
前記保持部２ａは、前記上熱交換器３の下端および前記下熱交換器４の上端を夫々表裏面に当接する当接板２ｂと、同当接板２ｂに対して左右交互もしくは前後交互に、上向きに形成された上保持板および下向きに形成された下保持板からなる保持板２ｃとを備えている。
【００２０】
また、前記当接板２ｂには所定の間隔を有して複数の孔２ｅが穿設されており、この孔２ｅを設けたことで前記保持部材２の軽量化をはかれるようになり、また、前記上熱交換器３から滴下する凝縮水を前記下熱交換器４に導くことができるようになり、次に同下熱交換器４から前記底板１上に導けることになる。
【００２１】
前記固定部２ｄにはねじ孔Ｂが設けられ、同ねじ孔Ｂに対応して前記支柱６には挿通孔Ａが設けられており、同挿通孔Ａを通したねじ７を前記ねじ孔Ｂに螺着して、前記固定部２ｄがねじ締め固定されることになる。
【００２２】
前記上熱交換器３および前記下熱交換器４の側部には、図２および図３に示すように側板８が設けられており、この側板８が前記底板１に固定されたり、また、この側板８が前記底板１上に立設された図４（Ａ）に示す支柱６に固定されるようになっている。
【００２３】
これにより、前記上熱交換器３および前記下熱交換器４は、前記保持部材２の保持部２ａによって互いに位置ずれしないように保持できることになり、また、前記保持部材２の固定部２ｄおよび前記側板８で前記支柱６に固定されることになる。
【００２４】
そのため、前記上熱交換器３および前記下熱交換器４は、例えば輸送時などに不測の外力が加わったような場合であっても、互いに位置ずれを起こさないようになり、また、前記側板８や前記固定部２ｄが固定されているので、前記底板１上で位置ずれを起こしたり変形してしまうといったことがないようにした強固な固定構造となる。
【００２５】
前記固定部２ｄは、一例として図４（Ｂ）に示すように、その底部が前記支柱６に突設された受け部６ａによって受けられる構成にすることで、前記挿通孔Ａと前記ねじ孔Ｂとの上下位置を容易に位置合わせできるようになり、該箇所のねじ締めの作業性を良好にするとともに、前記固定部２ｄの底部を受けて固定したことで該箇所の固定強度を高めることができるようになる。
【００２６】
または、前記固定部２ｄは、他の例として図４（Ｃ）に示すように、その両側部が前記支柱６に突設された受け部６ａ’によって挟持される構成にすることで、前記挿通孔Ａと前記ねじ孔Ｂとの左右位置を容易に位置合わせできるようになり、該箇所のねじ締めの作業性を良好にするとともに、前記固定部２ｄの両側部を受けて固定したことで該箇所の固定強度を高めることができるようになる。
【００２７】
なお、前記固定部２ｄは、図示はしないが、例えばその周縁部が上下方向および左右方向ともに位置決めされるようにすることで、前記挿通孔Ａと前記ねじ孔Ｂとの位置を容易に位置合わせできるようになり、該箇所のねじ締めの作業性を良好にして、更に固定強度を高めることができるようになる。
【００２８】
以上説明したように、本構成によれば、平面視で複数箇所に前記折曲部５を有し、前記保持部材２を介して上下に積層された前記上熱交換器３および前記下熱交換器４を、輸送時などに不測の外力が加わった場合でも位置ずれしないよう強固に固定できるようにした空気調和機の室外機となる。
【図面の簡単な説明】
【００２９】
【図１】本発明による空気調和機の室外機の外観斜視図である。
【図２】本発明による空気調和機の室外機の要部分解斜視図である。
【図３】本発明による空気調和機の室外機の要部斜視図である。
【図４】本発明による空気調和機の室外機の要部説明図で、図４（Ａ）は平面図であり、図４（Ｂ）は図４（Ａ）に示すＡーＡ断面図であり、図４（Ｃ）は図４（Ａ）に示すＢ部の拡大図である。
【図５】従来例による空気調和機の室外機の要部分解斜視図である。
【符号の説明】
【００３０】
１  底板
２  保持部材
２ａ  保持部
２ｂ  当接板
２ｂ’  延出部
２ｃ  保持板
２ｄ  固定部
２ｅ  孔
３  上熱交換器
４  下熱交換器
５  折曲部
６  支柱
６ａ  受け部
６ａ’  受け部
７  ねじ
８  側板
Ａ  挿通孔
Ｂ  ねじ孔
【図１】
2009079844.tif 000003
【図２】
2009079844.tif 000004
【図３】
2009079844.tif 000005
【図４】
2009079844.tif 000006
【図５】
2009079844.tif 000007